(57)【要約】【課題】各設定項目のそれぞれに設定値が正しく設定されているのか短時間で確認する。【解決手段】取得部８１は、複数の設定値のそれぞれと照合するための複数の照合用設定値９１の全てがひとまとめにされた照合用データ２２を取得する。判定部８３は、取得部８１により取得された照合用データ２２に基づいて複数の設定値のそれぞれが正しく設定されているか判定し、判定結果を出力する。【選択図】図２
2017087662.tif 000002
【特許請求の範囲】
【請求項１】
複数の設定項目のそれぞれに設定値が設定された状態で出荷される電子機器であって、
前記複数の前記設定値のそれぞれと照合するための前記複数の照合用設定値の全てがひとまとめにされた照合用データを取得する取得部と、
取得された前記照合用データに基づいて前記複数の前記設定値のそれぞれが正しく設定されているか判定して、判定結果を出力する判定部と
を備えたことを特徴とする電子機器。
【請求項２】
前記照合用データは、前記複数の前記設定値に対応した順に並んだ前記複数の照合用設定値と、各前記照合用設定値間を区切る区切り文字とで構成されたひとつながりのテキストデータであり、
前記照合用データを前記区切り文字に基づいて前記複数の前記照合用設定値に分解して、前記複数の前記照合用設定値のそれぞれを前記複数の前記設定値のそれぞれに対応したデータ形式に変換する変換部を
備えたことを特徴とする請求項１に記載の電子機器。
【請求項３】
前記変換部により変換された前記複数の前記照合用設定値を保存する記憶部を
備えたことを特徴とする請求項２に記載の電子機器。
【請求項４】
前記判定部は、
前記複数の前記設定値のそれぞれが正しく設定されていると判定した場合、前記記憶部に保存された前記複数の前記照合用設定値を消去する
ことを特徴とする請求項３に記載の電子機器。
【請求項５】
前記取得部は、ＵＳＢ通信により前記複数の前記照合用設定値を取得する
ことを特徴とする請求項１から４までのいずれか１項に記載の電子機器。
【請求項６】
請求項１から５までのいずれか１項に記載の電子機器であることを特徴とする画像形成装置。
【発明の詳細な説明】
【技術分野】
【０００１】
本発明は、複数の設定項目にそれぞれ設定値が設定された状態で出荷される電子機器及び画像形成装置に関する。
【背景技術】
【０００２】
画像形成装置では、工場出荷時に実際に実機に調整値を設定して画像形成機能などに不具合がないか検査している（例えば、特許文献１を参照）。このとき、ソフトウェアの不具合や作業者の手順ミスなどによって、誤った調整値が設定されたり調整値が反映されなかったりする場合がある。そのため、設定項目に正しく調整値が設定されているか確認する必要がある。確認作業では、例えば、検査用ソフトウェアがインストールされたＰＣ（Personal Computer）等の検査装置を実機に接続して、設定項目毎に検査装置から実機にコマンドを送信することが行われている（例えば、特許文献２を参照）。そして、コマンドに応じて実機から設定値を送信させ、検査装置が記憶している設定値と照合して、実機に正しく設定値が反映されているか確認している。
【先行技術文献】
【特許文献】
【０００３】
【特許文献１】特開2014-104666号公報
【特許文献２】特開2006-197494号公報
【発明の概要】
【発明が解決しようとする課題】
【０００４】
しかしながら、従来の技術では、設定項目が多数あるにも関わらず、設定項目毎にコマンドを実機に送信して設定値を返信させていたため、設定項目数分の通信時間が必要で確認作業に時間が掛かるという問題があった。
【０００５】
本発明は上記課題に鑑みてなされたものであり、上記課題を解決する技術を提供することを目的とする。
【課題を解決するための手段】
【０００６】
本発明の電子機器は、複数の設定項目のそれぞれに設定値が設定された状態で出荷される電子機器であって、前記複数の前記設定値のそれぞれと照合するための前記複数の照合用設定値の全てがひとまとめにされた照合用データを取得する取得部と、取得された前記照合用データに基づいて前記複数の前記設定値のそれぞれが正しく設定されているか判定して、判定結果を出力する判定部とを備えたことを特徴とする。
また、前記照合用データは、前記複数の前記設定値に対応した順に並んだ前記複数の照合用設定値と、各前記照合用設定値間を区切る区切り文字とで構成されたひとつながりのテキストデータであり、前記照合用データを前記区切り文字に基づいて前記複数の前記照合用設定値に分解して、前記複数の前記照合用設定値のそれぞれを前記複数の前記設定値のそれぞれに対応したデータ形式に変換する変換部を備えてもよい。
また、前記変換部により変換された前記複数の前記照合用設定値を保存する記憶部を備えてもよい。
また、前記判定部は、前記複数の前記設定値のそれぞれが正しく設定されていると判定した場合、前記記憶部に保存された前記複数の前記照合用設定値を消去してもよい。
また、前記取得部は、ＵＳＢ通信により前記複数の前記照合用設定値を取得してもよい。
本発明の画像形成装置は、上記のいずれか１項に記載の電子機器であることを特徴とする。
【発明の効果】
【０００７】
本発明によれば、各設定項目のそれぞれに設定値が正しく設定されているのか短時間で確認することができる技術を提供できる。
【図面の簡単な説明】
【０００８】
【図１】本発明に係る実施形態の画像形成装置の断面模式図である。
【図２】図１に示す画像形成装置の構成を示すブロック図である。
【図３】図２に示す制御部の処理の流れを示すフローチャートである。
【図４】図２に示す変換部の処理の様子を示すイメージ図である。
【図５】図２に示す操作部に表示されるエラーメッセージの表示例である。
【発明を実施するための形態】
【０００９】
以下、図を参照して本発明の実施形態を詳細に説明する。なお、以下の実施形態において、同様の機能を示す構成には、同一の符号を付してある。
【００１０】
画像形成装置１は、複写機であり、図１を参照すると、原稿読取部４１と、原稿給送部４２と、本体部４３と、操作部４４とを備えている。原稿読取部４１は、本体部４３の上部に配設され、原稿給送部４２は、原稿読取部４１の上部に配設されている。スタートキーやテンキーやＬＣＤ等からなる操作部４４は、本体部４３の手前側に配設されている。なお、ＵＳＢポート４５は、ＵＳＢメモリー２の差し込み口（接続口）である。
【００１１】
原稿読取部４１は、スキャナー４１１と、プラテンガラス４１２と、原稿読取スリット４１３とを備える。スキャナー４１１は、露光ランプ及びＣＣＤ(Charge Coupled Device)センサ等から構成され、原稿給送部４２による原稿ＭＳの搬送方向に移動可能に構成されている。プラテンガラス４１２は、ガラス等の透明部材により構成された原稿台である。原稿読取スリット４１３は、原稿給送部４２による原稿ＭＳの搬送方向と直交方向に形成されたスリットを有する。
【００１２】
プラテンガラス４１２に載置された原稿ＭＳを読み取る場合には、スキャナー４１１は、プラテンガラス４１２に対向する位置に移動され、プラテンガラス４１２に載置された原稿ＭＳを走査しながら原稿ＭＳを読み取って画像データを取得し、取得した画像データを本体部４３に出力する。また、原稿給送部４２により搬送された原稿ＭＳを読み取る場合には、スキャナー４１１は、原稿読取スリット４１３と対向する位置に移動され、原稿読取スリット４１３を介し、原稿給送部４２による原稿ＭＳの搬送動作と同期して原稿ＭＳを読み取って画像データを取得し、取得した画像データを本体部４３に出力する。
【００１３】
原稿給送部４２は、原稿載置部４２１と、原稿排出部４２２と、原稿搬送機構４２３とを備えている。原稿載置部４２１に載置された原稿は、原稿搬送機構４２３によって、１枚ずつ順に繰り出されて原稿読取スリット４１３に対向する位置へ搬送され、その後、原稿排出部４２２に排出される。なお、原稿給送部４２は、可倒式に構成され、原稿給送部４２を上方に持ち上げることで、プラテンガラス４１２の上面を開放させることができる。
【００１４】
本体部４３は、記録部６０を備えると共に、給紙部７０と、用紙搬送路４３１と、搬送ローラー４３２と、排出ローラー４３３と、胴内トレイ４３４とを備えている。給紙部７０は、記録紙Ｐを収納する給紙カセット７１と、給紙カセット７１から記録紙Ｐを１枚ずつ用紙搬送路４３１に繰り出す給紙ローラー７２とを備えている。給紙ローラー７２、搬送ローラー４３２及び排出ローラー４３３が搬送部として機能し、記録紙Ｐが搬送される。給紙ローラー７２によって用紙搬送路４３１に繰り出された記録紙Ｐは、搬送ローラー４３２によって記録部６０に搬送される。そして、記録部６０によって記録が施された記録紙Ｐは、排出ローラー４３３によって胴内トレイ４３４に排出される。
【００１５】
記録部６０は、感光体ドラム６１と、帯電部６２と、露光部６３と、現像部６４と、転写部６５と、定着部６６と、クリーニング部６７とを備えている。露光部６３は、レーザー装置やミラー等を備えた光学ユニットであり、画像データに基づいてレーザー光を出力して、帯電部６２によって帯電させた感光体ドラム６１を露光し、感光体ドラム６１の表面に静電潜像を形成する。現像部６４は、トナーを用いて感光体ドラム６１に形成された静電潜像を現像する現像ユニットであり、静電潜像に基づいたトナー像を感光体ドラム６１上に形成させる。転写部６５は、現像部６４によって感光体ドラム６１上に形成されたトナー像を記録紙Ｐに転写させる。定着部６６は、転写部６５によってトナー像が転写された記録紙Ｐを加熱してトナー像を記録紙Ｐに定着させる。そして、感光体ドラム６１上に残ったトナーは、クリーニング部６７によって除去される。
【００１６】
図２には、画像形成装置１の概略構成を示すブロック図が示されている。上述の原稿読取部４１、原稿給送部４２、搬送部（給紙ローラー７２、搬送ローラー４３２、排出ローラー４３３）、操作部４４及び記録部６０は、制御部８０に接続され、制御部８０によって動作制御される。また、制御部８０には、記憶部９０と、画像処理部１００と、通信部１１０と、ＵＳＢコントローラー１２０が接続されている。
【００１７】
記憶部９０は、半導体メモリーやＨＤＤ（Hard Disk Drive）等の記憶手段であり、原稿読取部４１によって原稿ＭＳを読み取ることで取得された画像データや各種設定値が記憶される。また、記憶部９０には、第１〜第ｎ設定項目（ｎは２以上の自然数）のそれぞれの設定値と照合される複数の照合用設定値９１が保存される。複数の照合用設定値９１は、後述する変換部８２によってＵＳＢメモリー２に記録された照合用データ２２が変換されたものである。
【００１８】
画像処理部１００は、画像データに対して所定の画像処理を行う手段であり、例えば、拡大縮小処理や、濃度調整、階調調整等の画像改善処理を行う。
【００１９】
通信部１１０は、ネットワークを介して外部端末との間で各種データを送受信する機能を有する。
【００２０】
ＵＳＢコントローラー１２０は、ＵＳＢポート４５に装着されたＵＳＢメモリー２に記録された照合用プログラム２１を読み出して制御部８０に出力する機能を備えている。照合用プログラム２１には、第１〜第ｎ設定項目のそれぞれの設定値と照合される複数の照合用設定値９１を有する照合用データ２２が含まれている。
【００２１】
制御部８０は、ＲＯＭ（Read Only Memory）、ＲＡＭ（Random Access Memory）等を備えたマイクロコンピュータ等の情報処理部である。ＲＯＭには画像形成装置１の動作制御を行うための制御プログラムが記憶されている。制御部８０は、ＲＯＭに記憶されている制御プログラムを読み出し、制御プログラムをＲＡＭに展開させることで、操作部４４から入力された所定の指示情報に応じて装置全体の制御を行う。
【００２２】
また、制御部８０は、取得部８１としてＵＳＢメモリー２に記録された照合用プログラム２１を読み出す。そして、制御部８０は読み出した照合用プログラム２１を実行する（ＲＡＭに展開する）ことで、変換部８２と判定部８３として機能する。
【００２３】
変換部８２は、照合用プログラム２１に含まれる照合用データ２２を複数の照合用設定値９１に変換し、記憶部９０に保存する機能を有する。
【００２４】
判定部８３は、検査のため設定された第１〜第ｎ設定項目のそれぞれの設定値を、記憶部９０に保存された各照合用設定値９１のそれぞれと照合して、一致するか否かを判定する判定部８３として機能する。
【００２５】
具体的に、図３を参照して制御部８０の処理の流れを詳しく説明する。
【００２６】
制御部８０は、ＵＳＢメモリー２が接続されるまで待機している（ステップｓ１１、ステップｓ１１でＮｏ）。ＵＳＢメモリー２が接続されると（ステップｓ１１でＹｅｓ）、制御部８０は、取得部８１としてＵＳＢコントローラー１２０を介してＵＳＢメモリー２に記録された照合用プログラム２１を読み出し（ステップｓ１２）、照合用プログラム２１を実行する（ステップｓ１３）。これにより制御部８０は、照合用プログラム２１に基づいて変換部８２と判定部８３として機能する。なお、制御部８０による照合処理で必要なＵＳＢ通信はこの一度だけである。
【００２７】
つづいて、変換部８２は、照合用プログラム２１に含まれる照合用データ２２を第１〜第ｎ設定項目のそれぞれに対応する複数の照合用設定値９１に変換する変換処理を行う（ステップｓ１４）。
【００２８】
図４に示すように、照合用データ２２は、第１〜第ｎ設定項目にそれぞれ対応する複数の照合用設定値９１と、各照合用設定値９１間を区切る区切り文字２２ａとで構成されたテキストデータである。ここでは、区切り文字２２ａとして"，"（カンマ）が用いられている。区切り文字２２ａとしては、カンマ以外にも、タブ、スペース、スラッシュなどを用いることができる。また、複数の照合用設定値９１は、全てテキスト形式になっている。
【００２９】
変換部８２は、区切り文字２２ａに基づいて照合用データ２２を複数の照合用設定値９１に分解する（ｓ２２１）。つづいて、変換部８２は、テキストデータである各照合用設定値９１のそれぞれを第１〜第ｎ設定項目のそれぞれに対応する予め決められたデータ形式（例えば数値や文字データなど）に変換し（ｓ２２２）、第１〜第ｎ設定項目にそれぞれ対応するデータ形式の複数の照合用設定値９１にする。
【００３０】
なお、照合用データ２２では、データ先頭から順に第１〜第ｎ設定項目に対応して各照合用設定値９１がひとつながりに並んでいる。そのため、照合用データ２２が区切り文字２２ａに基づいて個々の照合用設定値９１に分解された際に、それぞれの照合用設定値９１がどの設定項目に対応するか特定可能になっている。そのため、変換部８２は、テキストデータの各照合用設定値９１をそれぞれの設定項目に対応したデータ形式に変換可能である。また、第１設定項目の設定値である「シリアル番号」は各実機それぞれで固有の番号であり実機毎に異なるが、第２設定項目〜第ｎ設定項目のそれぞれの設定値は各実機で共通のものが使用される。
【００３１】
つづいて、変換部８２は変換した各照合用設定値９１を記憶部９０に保存する（ステップｓ１５）。
【００３２】
つづいて、制御部８０は、検査を行うため、第１〜第ｎ設定項目のそれぞれに対して設定値の設定を受け付ける（ステップｓ１６）。画像形成装置１は、第１〜第ｎ設定項目のそれぞれに設定値が設定された状態で出荷される。なお、記憶部９０には、既に変換部８２によって変換された第１〜第ｎ設定項目に対応するそれぞれの照合用設定値９１が保存されているので、他の実機における設定値を照合するため、ＵＳＢメモリー２を取り外すことも可能である。
【００３３】
つづいて、判定部８３は、操作部４４を介して照合指示がされるまで待機する（ステップｓ１７、ステップｓ１７でＮｏ）。照合指示がされると（ステップｓ１７でＹｅｓ）、判定部８３は、検査のため設定された第１〜第ｎ設定項目のそれぞれの設定値を記憶部９０に保存された第１〜第ｎ設定項目のそれぞれの照合用設定値９１と照合する（ステップｓ１８）。
【００３４】
つづいて、判定部８３は、照合が一致したか判定し（ステップｓ１９）、一致した場合には（ステップｓ１９でＹｅｓ）、設定値が正しく設定されている旨のメッセージを操作部４４に表示する（ステップｓ２０）。つづいて、判定部８３は、記憶部９０に保存された第１〜第ｎ設定項目それぞれの照合用設定値９１を消去する（ステップｓ２１）。照合用設定値９１は出荷される実機には必要ない情報だからである。また、判定部８３により照合用設定値９１が消去されると、制御部８０が照合用プログラム２１を自動的にアンインストールするようにしてもよい。この後、本処理は終了する。これにより、制御部８０は、ＵＳＢ通信を１回行うだけで、第１〜第ｎ設定項目のそれぞれに設定された設定値が正しく設定されているのか判定することができる。
【００３５】
一方、不一致だった場合には（ステップｓ１９でＮｏ）、設定値が正しく設定されていない旨のエラー画面を操作部４４に表示し（ステップｓ２２）、本処理を終了する。エラー画面としては、例えば、図５に示すように、不一致となった設定項目を表示するようにして、ユーザーがどの設定項目を設定し直せば良いのか分かるようにするとよい。また、照合が不一致だった場合には、正しく設定値が設定し直されたか再度チェックする必要があるので、記憶部９０に保存された第１〜第ｎ設定項目の照合用設定値９１を残しておく。設定値が設定し直された場合には、操作部４４を介して照合指示を受け付けるステップｓ１８の処理からスタートするようにすればよい。
【００３６】
このように、本実施形態の画像形成装置１は、複数の設定値のそれぞれと照合するための複数の照合用設定値９１の全てがひとまとめにされた照合用データ２２を取得する取得部８１と、取得された照合用データ２２に基づいて複数の設定値のそれぞれが正しく設定されているか判定し、判定結果を出力する判定部８３とを備えている。画像形成装置１は、複数の設定値のそれぞれと照合するための複数の照合用設定値９１の全てがひとまとめにされた照合用データ２２を取得すればよいので、通信時間が短くなり、検査時間を短縮することができる。
【００３７】
また、照合用データ２２は、複数の設定値に対応した順に並んだ複数の照合用設定値９１と、各照合用設定値９１間を区切る区切り文字２２ａとで構成されたひとつながりのテキストデータであり、画像形成装置１は、照合用データ２２を区切り文字２２ａに基づいて複数の照合用設定値９１に分解して、複数の照合用設定値９１のそれぞれを複数の設定値のそれぞれに対応したデータ形式に変換する変換部８２を備えている。これにより、画像形成装置１は、複数の設定値のそれぞれと照合するための複数の照合用設定値９１を一度に取得することができ、取得した複数の照合用設定値９１を複数の設定値のそれぞれに対応したデータ形式に変換して、照合に用いることができる。
【００３８】
また、変換部８２により変換された複数の照合用設定値９１は記憶部９０に保存されるので、一度複数の照合用設定値９１を送信してしまえば、その後にいつでもどこでも照合処理を実行することができる。
【００３９】
また、判定部８３が複数の設定値のそれぞれが正しく設定されていると判定した場合、記憶部９０に保存された複数の照合用設定値９１を消去するので、実機に不要な情報を残さないようにすることができる。
【００４０】
また、取得部８１は、ＵＳＢ通信により複数の照合用設定値９１を取得する。そのため、ＵＳＢメモリー２を画像形成装置１に接続するだけで誰でも簡単に正しく設定値が設定されているか確認することができ、検査装置を不要にすることができる。
【００４１】
なお、取得部８１は、ＵＳＢ通信に限らず、通信部１１０によりネットワークを介してＰＣ等の外部端末から照合用プログラム２１を一度に受信して、照合用プログラム２１の照合用データ２２に含まれる複数の照合用設定値９１を取得してもよい。また、予め画像形成装置１に照合用プログラム２１をインストールしておき、後から照合用データ２２だけを記録したＵＳＢメモリー２を画像形成装置１に接続して、取得部８１が照合用データ２２を取得するようにしてもよい。
【００４２】
本発明は上述した実施の形態に限定されるものではなく、本発明の趣旨を逸脱しない範囲で種々様々に変更が可能であることは言うまでもない。例えば、本実施形態は、電子機器の一例として画像形成装置１を例に説明したが、画像形成装置１に限らず、タブレット端末やスマートフォン、携帯電話などのモバイル端末や、デジタルカメラなど多様な電子機器に適用することができる。
【符号の説明】
【００４３】
１  画像形成装置
２  ＵＳＢメモリー
２１  照合用プログラム
２２  照合用データ
２２ａ  区切り文字
４１  原稿読取部
４２  原稿給送部
４３  本体部
４４  操作部
４５  ＵＳＢポート
６０  記録部
６１  感光体ドラム
６２  帯電部
６３  露光部
６４  現像部
６５  転写部
６６  定着部
６７  クリーニング部
７０  給紙部
７１  給紙カセット
７２  給紙ローラー
８０  制御部
８１  取得部
８２  変換部
８３  判定部
９０  記憶部
９１  照合用設定値
１００  画像処理部
１１０  通信部
１２０  ＵＳＢコントローラー
４１１  スキャナー
４１２  プラテンガラス
４１３  原稿読取スリット
４２１  原稿載置部
４２２  原稿排出部
４２３  原稿搬送機構
４３１  用紙搬送路
４３２  搬送ローラー
４３３  排出ローラー
４３４  胴体トレイ
【図１】
2017087662.tif 000003
【図２】
2017087662.tif 000004
【図３】
2017087662.tif 000005
【図４】
2017087662.tif 000006
【図５】
2017087662.tif 000007